(57)【要約】【課題】粒子を十分に駆動することができ、ドット不良等を防ぐことができる画像表示媒体の駆動装置を提供する。【解決手段】表示基板と、背面基板と、複数の走査電極１４とこれと交差するように対向配置された複数のデータ電極２０との間に画像データに応じた電圧が印加されることにより、基板間に形成された電界に応じて移動するように当該基板間に封入された少なくとも一種類の粒子群と、を備えた画像表示媒体を駆動する駆動装置であって、走査電極１４とデータ電極２０との間に電圧を印加する電圧印加手段と、複数の走査電極１４のうち少なくとも２つ以上の走査電極１４を走査電極群として選択し、当該選択した走査電極群を複数回走査した後、走査方向下流側に所定の走査電極数分シフトする走査シーケンスを繰り返すように、電圧印加手段を制御する制御手段と、を備えたことを特徴とする。【選択図】図７
2007279318.tif 000002
【特許請求の範囲】
【請求項１】
少なくとも透光性を有する表示基板と、前記表示基板と間隙をもって対向する背面基板と、予め定めた所定方向に沿って並置された複数の走査電極と前記走査電極と交差するように対向して配置された複数のデータ電極との間に画像データに応じた電圧が印加されることにより、前記表示基板と前記背面基板との基板間に形成された電界に応じて移動するように当該基板間に封入された少なくとも一種類の粒子群と、を備えた画像表示媒体を駆動する駆動装置であって、
前記走査電極と前記データ電極との間に電圧を印加する電圧印加手段と、
前記複数の走査電極のうち少なくとも２つ以上の走査電極を走査電極群として選択し、当該選択した走査電極群を複数回走査した後、走査方向下流側に所定の走査電極数分シフトする走査シーケンスを繰り返すように、表示すべき画像に応じて前記電圧印加手段を制御する制御手段と、
を備えたことを特徴とする画像表示媒体の駆動装置。
【請求項２】
前記粒子群は、前記背面基板の色と異なることを特徴とする請求項１記載の画像表示媒体の駆動装置。
【請求項３】
前記粒子群は、色及び帯電特性が異なる複数種類の粒子群であることを特徴とする請求項１又は請求項２記載の画像表示媒体の駆動装置。
【請求項４】
前記制御手段は、前記走査電極群を複数回走査する際に、前回の走査によって移動を開始した粒子の移動完了前に次回の走査が開始されるように、前記電圧印加手段を制御することを特徴とする請求項１又は請求項２記載の画像表示媒体の駆動装置。
【請求項５】
前記画像表示媒体は、前記基板間を、前記走査電極を複数含むセルに仕切る間隙部材をさらに備えたことを特徴とする請求項１乃至請求項４の何れか１項に記載の画像表示媒体の駆動装置。
【請求項６】
前記制御手段は、前記間隙部材の走査方向下流側で且つ前記間隙部材に隣接する走査電極を前記走査電極群における走査開始電極として選択することを特徴とする請求項５記載の画像表示媒体の駆動装置。
【請求項７】
前記制御手段は、少なくとも前記セル内の全ての走査電極を含むように、前記走査電極群を選択することを特徴とする請求項５又は請求項６記載の画像表示媒体の駆動装置。
【請求項８】
前記制御手段は、少なくとも１つ以上のセルの全ての走査電極を走査電極群として選択し、前記少なくとも１つ以上のセル毎に走査するように前記電圧印加手段を制御することを特徴とする請求項５乃至請求項７の何れか１項に記載の画像表示媒体の駆動装置。
【請求項９】
前記制御手段は、前回走査した走査電極群の一部の走査電極を含むように、次回の走査電極群を選択することを特徴とする請求項１乃至請求項７の何れか１項に記載の画像表示媒体の駆動装置。
【発明の詳細な説明】
【技術分野】
【０００１】
本発明は、画像表示媒体の駆動装置に係り、より詳しくは、基板間に電圧を印加することにより着色粒子を移動させて画像表示する繰り返し書換えが可能な画像表示媒体の駆動装置に関する。
【背景技術】
【０００２】
従来、メモリー性を有し繰り返し書き換えが可能な画像表示媒体として、着色粒子を用いた画像表示媒体が知られている。このような画像表示媒体は、例えば一対の基板と、印加された電界により基板間を移動可能に基板間に封入されると共に、色及び帯電特性が異なる複数種類の粒子群と、を含んで構成される。また、基板間には、粒子が基板内の一部の領域に偏るのを防ぐため等の理由により、基板間を複数のセルに仕切るための間隙部材が設けられる。
【０００３】
このような画像表示媒体では、画像に応じた電圧を一対の基板間に印加することにより粒子を移動させ、異なる色の粒子のコントラストとして画像を表示させる。なお、電圧の印加を停止した後も、ファンデルワース力や鏡像力によって粒子は基板に付着したままとなり、画像表示は維持される。
【０００４】
このような画像表示媒体を高解像度化しようとする場合、表示する画素（ドット）が小さくなり、１つの画素の基板間に存在する粒子の数も少なくなる。粒子の数が少なくなると、その中の電界によって動きやすい粒子も少なくなり、画像表示を行うための電界が基板間に形成されたときに、動きやすい粒子による叩き出し効果が減少する。このため、表示濃度が不十分となったり、全く粒子が移動せずドット状の表示不良が発生しやすくなったりする、という問題があった。
【０００５】
ここで、叩き出し効果について説明する。粒子はサイズや形状及び帯電量にばらつきがあるため、基板との付着力や基板間に形成された電界から受ける静電気力にばらつきがあり、画像を表示するための電界が形成されたときの動きやすさにばらつきがある。画像表示を行うための電界が形成されると、動きやすい粒子がまず基板間を移動して、対向する基板上に付着する動きにくい粒子に衝突し、この衝撃力をきっかけとして動きにくい粒子も叩き出されて動けるようになり、これが繰返されることでほとんどの粒子が駆動される。これを叩き出し効果という。
【０００６】
ところで、特許文献１には、背面基板の色と粒子群の色とが異なる構成とし、粒子の色と背面基板の色とのコントラストで画像を表示する画像表示媒体が提案されている。
【０００７】
この画像表示媒体では、例えば粒子の色を表示させたい画素については、その位置の基板間に例えば直流電圧を印加することにより粒子を表示基板側へ移動させる。一方、背面基板の色を表示させたい画素については、その位置の基板間に交番電圧を印加することにより基板間で粒子を往復運動させながら他の画素の領域へ移動させ、背面基板を露出させる。
【０００８】
このような画像表示媒体では、上記のドット状の表示不良が発生しやすくなるという問題の他に、下記のような問題がある。
【０００９】
例えば所謂単純マトリクス構造の電極を有する画像表示媒体を高解像度化する場合、１画素毎に間隙部材で囲むような構成、すなわち一つのセルを１画素で構成すると、開口率が低下するため十分な表示コントラストが得られない。そこで、複数の画素毎に間隙部材で囲むような構成、すなわち一つのセルを複数画素で構成すると、開口率は改善される。
【００１０】
しかしながら、走査方向に複数の画素を含むように一つのセルを構成すると、走査方向に連続して背面基板の色を表示した場合に、除去した粒子の一部が走査方向上流側、すなわち一度粒子を除去した領域に戻ってしまい、背面基板の色を十分に表示することができない、という問題があった。
【００１１】
例えば白色粒子及び黒色粒子の２種類の粒子を含み、背面基板の色を赤とした３色表示が可能な画像表示媒体について説明する。図１２に示すように、複数の走査電極１００と複数のデータ電極１０２とが直交するように対向配置した所謂単純マトリクス構造の画像表示媒体において、間隙部材１０４を同図に示すような形状とし、走査方向Ｓにおける各画素間に間隙部材１０４が設けられた構成とした場合は、図１３、１４に示すように背面基板の色（例えば赤）を表示する画素１０６が走査方向に連続する場合でも、間隙部材１０４によって粒子の移動が制限されるため、背面基板の色を十分に表示することができる。
【００１２】
しかしながら、開口率の低下を防ぐために図１５、１６に示すように、走査方向Ｓについて複数の画素を含むように一つのセルを構成した場合（同図では走査方向Ｓについて１つのセルに３個の画素が含まれている）、除去した粒子が戻り粒子１０８として直前に走査した画素の領域に戻ってしまい、背面基板の色を鮮明に表示することができない、という問題があった。
【００１３】
なお、図１７に示すように赤の画素１０６と白の画素１１０とが交互に並ぶ市松模様を表示させる場合には、白の画素１１０によって戻り粒子が隠れるため、上記のような問題は発生しない。
【特許文献１】特開２００４−８６０９５号公報
【発明の開示】
【発明が解決しようとする課題】
【００１４】
上記のような問題を解決するため、表示領域全面を複数回走査駆動する方法等があるが、戻り粒子の量（数）自体は少ないため、再度駆動して除去しようとしても叩き出し効果が弱く粒子を十分に駆動することができない。このため、粒子を十分に除去することができない、という問題があった。
【００１５】
本発明は、上記事実に鑑みて成されたものであり、粒子を十分に駆動することができ、ドット不良等を防ぐことができる画像表示媒体の駆動装置を提供することを目的とする。
【課題を解決するための手段】
【００１６】
上記課題を解決するため請求項１記載の発明は、少なくとも透光性を有する表示基板と、前記表示基板と間隙をもって対向する背面基板と、予め定めた所定方向に沿って並置された複数の走査電極と前記走査電極と交差するように対向して配置された複数のデータ電極との間に画像データに応じた電圧が印加されることにより、前記表示基板と前記背面基板との基板間に形成された電界に応じて移動するように当該基板間に封入された少なくとも一種類の粒子群と、を備えた画像表示媒体を駆動する駆動装置であって、前記走査電極と前記データ電極との間に電圧を印加する電圧印加手段と、前記複数の走査電極のうち少なくとも２つ以上の走査電極を走査電極群として選択し、当該選択した走査電極群を複数回走査した後、走査方向下流側に所定の走査電極数分シフトする走査シーケンスを繰り返すように、表示すべき画像に応じて前記電圧印加手段を制御する制御手段と、を備えたことを特徴とする。
【００１７】
この発明によれば、画像表示媒体は、少なくとも透光性を有する表示基板と、表示基板と間隙をもって対向する背面基板と、の基板間に、少なくとも一種類の粒子群が封入された構成である。
【００１８】
粒子群は、予め定めた所定方向に沿って並置された複数の走査電極と走査電極と交差するように対向して配置された複数のデータ電極との間に画像データに応じた電圧が印加されることにより、基板間に形成された電界に応じて移動する。
【００１９】
このような画像表示媒体では、粒子が表示基板側に移動するような電圧を電圧印加手段によって走査電極とデータ電極との間に印加することにより粒子の色を表示させることができる。
【００２０】
制御手段は、複数の走査電極のうち少なくとも２つ以上の走査電極を走査電極群として選択し、当該選択した走査電極群を複数回走査した後、走査方向下流側に所定の走査電極数分シフトする走査シーケンスを繰り返すように、表示すべき画像に応じて電圧印加手段を制御する。
【００２１】
すなわち、同じ走査電極を複数回繰り返し走査し、走査方向下流側へ所定の走査電極数分シフトして同様に繰り返し走査することを繰り返す。これにより、叩き出し効果を高めて粒子を十分に駆動することができ、表示濃度不足を改善しドット状の表示不良を防止することができる。
【００２２】
なお、請求項２に記載したように、前記粒子群は、前記背面基板の色と異なる構成とすることができる。
【００２３】
この場合、背面基板の表示基板と対向する側の面に電極を設けた場合には、この電極を透明として背面基板が粒子の色と異なる色としてもよいし、電極上に着色層を設けても良い。
【００２４】
このような画像表示媒体では、粒子が基板間を往復運動しながら隣接する画素の領域に移動させるような交番電圧を走査電極とデータ電極との間に印加することにより、背面基板の色を表示することが出来る。なお、電圧の印加方法については、例えば特開２００４−８６０９５号公報に記載された方法を用いることができる。
【００２５】
また、請求項３に記載したように、前記粒子群は、色及び帯電特性が異なる複数種類の粒子群である構成としてもよい。これにより、表示色を増やすことができると共に、叩き出し効果による粒子の駆動性を向上させることができる。
【００２６】
また、請求項４に記載したように、前記制御手段は、前記走査電極群を複数回走査する際に、前回の走査によって移動を開始した粒子の移動完了前に次回の走査が開始されるように、前記電圧印加手段を制御することが好ましい。これにより、粒子の叩き出し効果をより高めることができ、ドット不良等をより効果的に防ぐことができる。
【００２７】
また、請求項５に記載したように、前記画像表示媒体は、前記基板間を、前記走査電極を複数含むセルに仕切る間隙部材をさらに備えた構成としてもよい。
【００２８】
この場合、請求項６に記載したように、前記制御手段は、前記間隙部材の走査方向下流側で且つ前記間隙部材に隣接する走査電極を前記走査電極群における走査開始電極として選択するようにしてもよい。これにより、走査開始電極の画素については、走査方向上流側へ戻ろうとする粒子が間隙部材によって制限されるため、背面基板の色を表示する際に鮮明に表示することができる。
【００２９】
また、請求項７に記載したように、前記制御手段は、少なくとも前記セル内の全ての走査電極を含むように、前記走査電極群を選択するようにしてもよい。
【００３０】
また、請求項８に記載したように、前記制御手段は、少なくとも１つ以上のセルの全ての走査電極を走査電極群として選択し、前記少なくとも１つ以上のセル毎に走査するように前記電圧印加手段を制御するようにしてもよい。これにより、効率よく走査することができる。
【００３１】
また、請求項９に記載したように、前記制御手段は、前回走査した走査電極群の一部の走査電極を含むように、次回の走査電極群を選択するようにしてもよい。これにより、より効果的にドット不良等を防止することができる。
【発明の効果】
【００３２】
本発明によれば、粒子を十分に駆動することができ、ドット不良等を防ぐことができる、という効果を有する。
【発明を実施するための最良の形態】
【００３３】
以下、図面を参照して本発明の実施形態について詳細に説明する。
【００３４】
図１には、本実施形態に係る画像表示媒体１０の断面図を示した。同図に示すように、画像表示媒体１０は、透明な基板１２上にライン状の複数の透明の走査電極１４、透明の絶縁層１６が形成された表示基板１８と、走査電極１４と直交するように対向して配置されたライン状のデータ電極２０、着色層２２、及び透明の絶縁層２４が基板２６上に形成された背面基板２８と、基板間に封入された正に帯電された黒色粒子３０及び負に帯電された白色粒子３２と、基板間を図２に示すように複数のセル３４に仕切る間隙部材３６と、で構成されている。
【００３５】
着色層２２は、黒色粒子３０及び白色粒子３２とは異なる色に着色された層であり、本実施形態では赤に着色されているものとする。
【００３６】
なお、図１に示す画像表示媒体１０は、図２のＡ−Ａ断面図である。また、図２では、間隙部材３６を明確に図示するために黒で示したが、これに限らず、実際は例えば透明な部材を使用してもよい。
【００３７】
図２に示すように、複数のライン状の走査電極１４は、図２において上下方向（走査方向Ｓ）に並置されると共に、図２において左右方向に並置された複数のライン状のデータ電極２０と直交するように対峙して配置される。各走査電極１４と各データ電極２０との交差位置が画素を構成する。なお、各電極は、例えばＩＴＯ（Ｉｎｄｉｕｍ  Ｔｉｎ  Ｏｘｉｄｅ）電極で構成される。
【００３８】
間隙部材３６は、複数の走査電極１４及び複数のデータ電極２０を含み、略正方形状のセル３４が複数個形成されるようなマス目状の形状とされている。図２では、一例として各セル３４内に走査電極１４が３本、データ電極２０が３本ずつ配置された構成、すなわち１セル当たり３×３画素の構成としているが、これに限られるものではない。
【００３９】
図１、２においては、説明の簡略化のために６行×６列の単純マトリックス構造の電極配置としているが、実際には、画像表示に必要な画素数に対応した本数の電極が各基板に形成されることはいうまでもない。すなわち、ｍ行×ｎ列分の画素が必要であれば、ｍ本の走査電極１４が基板１２上に形成され、ｎ本のデータ電極２０が基板２６上に形成される。
【００４０】
また、本実施の形態では、表示基板側に走査電極１４が、背面基板側にデータ電極２０が設けられた構成としているが、これとは逆に、表示基板側にデータ電極２０が、背面基板側に走査電極１４が形成された構成としてもよい。
【００４１】
また、走査電極１４及びデータ電極２０は、表示基板１８と背面基板２８とが対向する側の面ではなく、これと反対側の面にそれぞれ形成されていてもよく、表示基板１８及び背面基板２８の外側に別個独立にそれぞれ配置されていてもよい。また、電極を画像表示媒体と別個独立に設ける場合には、基板を誘電性を有する部材で構成することにより、基板間に電界を形成させることができる。
【００４２】
また、本実施形態では、黒色粒子３０が正に帯電し、白色粒子３２が負に帯電された構成としているが、黒色粒子３０が負に帯電し、白色粒子３２が正に帯電された構成でもよい。各粒子は、例えば絶縁性粒子や導電性粒子等を用いることができる。
【００４３】
なお、画像表示媒体１０を構成する各部材は、例えば特開２００１−３１２２５号公報に記載されたものを用いることができる。
【００４４】
このような画像表示媒体１０では、少なくとも粒子を移動させることができる電位差を基板間に発生させるのに必要な電圧であって、必要な濃度が確保できる所定電圧（例えば±１４０Ｖ）が走査電極１４とデータ電極２０との電極間に印加されると、その位置の黒色粒子３０及び白色粒子３２が基板間を移動する。例えば、データ電極２０に対して走査電極１４の電位が正となる所定電圧（例えば＋１４０Ｖ）がその電極間に印加された場合には、表示基板１８側の正に帯電した黒色粒子３０は背面基板２８側へ移動すると共に背面基板２８側の負に帯電した白色粒子３２は表示基板１８側へ移動し、白表示される。
【００４５】
一方、データ電極２０に対して走査電極１４の電位が負となる所定電圧（例えば−１４０Ｖ）がその電極間に印加された場合には、表示基板１８側の負に帯電した白色粒子３２は背面基板２８側へ移動すると共に背面基板２８側の正に帯電した黒色粒子３０は表示基板１８側へ移動し、黒表示される。
【００４６】
従って、粒子を移動させるべき画素に対応した位置のデータ電極２０と走査電極１４との間に正又は負の所定電圧を印加することにより、画像に応じて粒子が移動し、画像を表示させることができる。なお、電圧の印加が停止された後も、ファンデルワース力や鏡像力等により黒色粒子３０又は白色粒子３２は表示基板１８又は背面基板２８に付着したままとなり、画像表示は維持される。
【００４７】
本実施形態では、一例として、画像表示媒体１０の濃度特性が図３（Ａ）、（Ｂ）に示すような特性の場合について説明する。すなわち、データ電極２０に対して走査電極１４に印加される電圧を−１４０Ｖ又は１４０Ｖとすることにより、黒色粒子３０又は白色粒子３２が表示基板１８側へ移動して十分な濃度を得ることができると共に、データ電極２０に対して走査電極１４に印加される電圧を−７０Ｖ又は７０Ｖとすることにより、粒子の移動を禁止することができる特性である。なお、同図では、印加電圧のパルス幅が１０ｍｓｅｃ、パルス数が１の場合について示した。
【００４８】
走査電極１４及びデータ電極２０に印加する黒表示用のＯＮ電圧及びＯＦＦ電圧、すなわち黒色粒子３０を表示基板１８側へ移動させる際に各電極に印加する電圧の値については、様々な値を設定することができるが、本実施形態では、図４（Ａ）に示すように、走査電極１４に印加する第１の走査電極用ＯＮ電圧を−７０Ｖに、データ電極２０に印加する第１のデータ電極用ＯＮ電圧を＋７０Ｖに、走査電極１４及びデータ電極２０に印加するＯＦＦ電圧を０Ｖにそれぞれ設定する。
【００４９】
同様に、走査電極１４及びデータ電極２０に印加する白表示用のＯＮ電圧及びＯＦＦ電圧、すなわち白色粒子３２を表示基板１８側へ移動させる際に各電極に印加する電圧の値については、様々な値を設定することができるが、本実施形態では、走査電極１４に印加する第２の走査電極用ＯＮ電圧を、第１の走査電極用ＯＮ電圧と逆極性の＋７０Ｖに、データ電極２０に印加する第２のデータ電極用ＯＮ電圧を、第１のデータ電極用ＯＮ電圧と逆極性の−７０Ｖに、ＯＦＦ電圧は黒表示用のＯＦＦ電圧と同様の０Ｖにそれぞれ設定する。
【００５０】
上記のように黒表示用のＯＮ電圧及びＯＦＦ電圧を設定した場合において、同図（Ｂ）に示すように、走査電極１４及びデータ電極２０の両方に黒表示用のＯＮ電圧が印加された場合、そのデータ電極２０に対する走査電極１４への印加電圧は−１４０Ｖとなり、その画素（画像部）の黒色粒子３０が表示基板１８側へ移動する。
【００５１】
また、走査電極１４に第１の走査電極用ＯＮ電圧、データ電極２０にＯＦＦ電圧が印加された場合、そのデータ電極２０に対する走査電極１４への印加電圧は−７０Ｖとなり、その画素（非画像部）の粒子は移動しない。同様に、走査電極１４にＯＦＦ電圧、データ電極２０に第１のデータ電極用ＯＮ電圧が印加された場合、そのデータ電極２０に対する走査電極１４への印加電圧は−７０Ｖとなり、その画素の粒子は移動せず、走査電極１４にＯＦＦ電圧、データ電極２０にＯＦＦ電圧が印加された場合、そのデータ電極２０に対する走査電極１４への印加電圧は０Ｖとなり、その画素の粒子は移動しない。なお、白表示の場合も極性が反転するだけで黒表示の場合と同様である。
【００５２】
また、セル３４内の粒子の配置、すなわち粒子密度を均一化させると共に最終的に白表示とする初期化駆動を行う場合には、走査電極１４とデータ電極２０との間に初期化駆動電圧としての交番電圧を印加する。例えば、第１の走査電極用初期化電圧を１４０Ｖ、第２の走査電極用初期化電圧を０Ｖとして、これらを所定パルス幅で走査電極１４に交互に印加すると共に、これに同期して、第１のデータ電極用初期化電圧を０Ｖ、第２のデータ電極用初期化電圧を１４０Ｖとして、これらを前記所定パルス幅でデータ電極２０に交互に印加する。これにより、走査電極１４とデータ電極２０との間に交番電圧が印加される。
【００５３】
そして、これを所定パルス数分実行し、最後に白表示とするために、走査電極１４に第１の走査電極用初期化電圧を、データ電極２０に第１のデータ電極用初期化電圧を印加する。この際、前記所定パルス幅より長めのパルス幅で印加すると、より濃度が安定した白表示を行うことができるため好ましい。なお、所定パルス数は、粒子の配置を十分に均一化させることができる数に設定される。
【００５４】
また、セル内の所定画素について粒子以外の色、すなわち着色層２２の色を表示させる場合には、前記所定画素に対応する走査電極１４に対して、図５（Ａ）に示すような所定パルス幅の第１の走査電極用ＯＮ電圧及び第２の走査電極用ＯＮ電圧を交互に印加するパルス電圧を所定パルス数（数パルス〜数十パルス）印加すると共に、前記所定画素に対応するデータ電極２０に対して、同図（Ｂ）に示すような前記所定パルス幅の第１のデータ電極用ＯＮ電圧及び第２のデータ電極用ＯＮ電圧を交互に印加するパルス電圧を所定パルス数印加する。すなわち、位相が１８０度異なるパルス電圧を走査電極１４及びデータ電極２０に印加する。これにより、同図（Ｃ）に示すように、走査電極１４には、データ電極２０に対して第１の走査電極用ＯＮ電圧の２倍の電圧（−１４０Ｖ）と第２の走査電極用ＯＮ電圧の２倍の電圧（＋１４０Ｖ）とが交互に印加される交番電圧が印加されることとなる。なお、交番電圧の周波数は、一例として２００Ｈｚ、所定パルス数は一例として２０パルスとするが、これに限られない。以下では、同図（Ａ）に示す所定パルス数のパルス電圧を走査電極用パルス電圧、同図（Ｂ）に示す所定パルス数のパルス電圧をデータ電極用パルス電圧と称する。
【００５５】
また、所定画素以外の画素に対応する走査電極１４及びデータ電極２０に対しては、ＯＦＦ電圧を印加する。
【００５６】
これにより、所定画素の領域の粒子が基板間を往復運動しながら、隣接するデータ電極との間に形成されたエッジ電界（基板面と平行方向の電界）によってセル内の他の画素の領域へ移動するため着色層２２が露出し、所定画素に赤色が表示される。
【００５７】
図６には、画像データに基づいて、画像表示媒体１０に画像を表示するための駆動装置４０の概略構成を示した。
【００５８】
駆動装置４０は、走査電極駆動回路４２、データ電極駆動回路４４、電源回路４６、４８、及び制御装置５０を含んで構成されている。
【００５９】
走査電極駆動回路４２は、各走査電極１４とそれぞれ接続され、電源回路４６から供給される各種の電圧、すなわち第１の走査電極用初期化電圧及び第２の走査電極用初期化電圧、第１の走査電極用ＯＮ電圧及び第２の走査電極用ＯＮ電圧、ＯＦＦ電圧等を、制御装置５０の指示に従って各走査電極１４に各々印加する。
【００６０】
データ電極駆動回路４４は、各データ電極２０とそれぞれ接続され、電源回路４８から供給される各種の電圧、すなわち第１のデータ電極用初期化電圧及び第２のデータ電極用初期化電圧、第１のデータ電極用ＯＮ電圧及び第２のデータ電極用ＯＮ電圧、ＯＦＦ電圧等を、制御装置５０の指示に従って各データ電極２０に各々印加する。
【００６１】
走査電極駆動回路４２は、各走査電極１４とそれぞれ接続され、電源回路４６から供給される各種の電圧を、制御装置５０の指示に従って各走査電極１４に各々印加する。
【００６２】
データ電極駆動回路４４は、各データ電極２０とそれぞれ接続され、電源回路４８から供給される各種の電圧を、制御装置５０の指示に従って各データ電極２０に各々印加する。
【００６３】
制御装置５０には、画像表示媒体１０に表示させるべき画像に応じた画像データが入力される。制御装置５０は、入力された画像データに基づいて、走査対象の走査電極１４の行番号を指定するための行番号指定信号及び印加電圧の種類を指定するための走査電極用電圧指定信号を走査電極駆動回路４２に出力すると共に、その行番号指定信号により指定された走査電極１４に対応するライン画像に基づいて所定の電圧を印加すべきデータ電極２０の列番号を指定するための列番号指定信号及び前記所定の電圧の種類を指定するためのデータ電極用電圧指定信号を、データ電極駆動回路４４に出力する。
【００６４】
走査電極駆動回路４２は、制御装置５０から行電極指定信号によって指定された行の走査電極１４に対して、走査電極用電圧指定信号で指定された種類の電圧を印加すると共に、行番号指定信号によって指定された走査電極１４以外の走査電極１４に対してＯＦＦ電圧を印加する。
【００６５】
データ電極駆動回路４４は、制御装置５０から列番号指定信号によって指定された列のデータ電極２０に対して、データ電極用電圧指定信号で指定された種類の電圧を印加すると共に、列番号指定信号によって指定されたデータ電極２０以外のデータ電極２０に対してＯＦＦ電圧を印加する。
【００６６】
次に、制御装置５０で実行される画像表示駆動の電圧印加シーケンスについて説明する。
【００６７】
まず、制御装置５０は、画像表示媒体１０を初期化する。すなわち、粒子を均一化すると共に全面白表示とするべく、全ての走査電極１４及びデータ電極２０に位相が１８０度異なる所定パルス数のパルス電圧が各々印加されるように、かつ最後に走査電極１４に第１の走査電極用初期化電圧が、データ電極２０に第１のデータ電極用初期化電圧が印加されるよう走査電極駆動回路４２及びデータ電極駆動回路４４に指示する。これにより、基板間の粒子が均一化されて、最後に全ての白色粒子３２が表示基板１８側へ移動すると共に、全ての黒色粒子３０が背面基板２８側に移動し、全面白表示となる。
【００６８】
次に、制御装置５０は、１行目の走査電極１４を指定するための行番号指定信号及び黒表示用である第１の走査電極用ＯＮ電圧を指定するための走査電極用電圧指定信号を走査電極駆動回路４２に出力すると共に、１行目の黒表示すべき画素に対応するデータ電極２０を指定するための列番号指定信号及び黒表示用である第１のデータ電極用ＯＮ電圧を指定するためのデータ電極用電圧指定信号をデータ電極駆動回路４４に出力する。
【００６９】
これにより、１行目の走査電極１４に第１の走査電極用ＯＮ電圧が、１行目の黒表示すべき画素に対応するデータ電極２０に第１のデータ電極用ＯＮ電圧が印加され、その画素が黒表示され、その行の白黒のライン画像が表示される。また、これ以外の電極についてはＯＦＦ電圧が印加される。以下ではこれを黒表示駆動という。なお、黒表示駆動における印加電圧のパルス数は１パルスとしてもよいし、数パルスとしてもよい。
【００７０】
そして、２行目についても上記と同様の黒表示駆動を行うが、次は３行目について黒表示駆動を行うのではなく、再度１行目、２行目の順に上記と同様の黒表示駆動を行う。すなわち、１行目及び２行目の走査を２回行う。
【００７１】
なお、電圧印加によって動きやすい粒子が動き出し、その叩き出し効果によってほとんど全ての粒子が移動を開始して、形成された電界に応じて所望の基板側へ移動するが、先に移動した粒子の電荷によって基板間の電界強度は弱められるため、粒子の移動速度や叩き出し効果が弱まり、全ての粒子が完全に移動を完了するまでにはある程度長い時間（例えば数十ｍｓｅｃ）が必要である。本実施形態では、叩き出し粒子を増加させるために、１回目の走査によって移動を開始した粒子が完全に移動を完了する前に２回目の走査を開始する。すなわち、１回の走査時間（電圧印加時間）を、電圧印加を開始してから全ての粒子が完全に移動を完了するまでの時間よりも短い時間（例えば数ｍｓｅｃ）に設定する。
【００７２】
１行目及び２行目の走査を２回行った後は、３行目を走査対象とするのではなく、前回走査した２行目を走査対象とし、２行目、３行目の順で黒表示駆動を２回繰り返す。以下、３行目、４行目の順で黒表示駆動を２回繰り返し、４行目、５行目の順で黒表示駆動を２回繰り返し、以下同様である。
【００７３】
このように、本実施形態では、隣接する２本の走査電極１４を走査電極群として選択し、この選択した走査電極群を２回走査する。また、前回走査した走査電極群のうち最後に走査した走査電極が、次の走査電極群における走査開始の走査電極となるように、走査電極群を走査方向下流側にシフトする。なお、一つの走査電極群の走査回数は２回に限らず、３回以上行ってもよい。
【００７４】
図７には、このような走査方法の概念を矢印で示した。同図において、１本のデータ電極２０上に記した矢印の始点から終点にかかる走査電極が走査電極群に相当し、複数の矢印は走査電極群を複数回走査することを示している。すなわち、図７は、２行分の走査電極を走査電極群として選択し、選択した走査電極群の走査を複数回（例えば２回）行った後、走査方向下流側へ１行分走査電極群をシフトすることを示している。
【００７５】
上記のように走査することにより、一つの走査電極に対する電圧印加時間は短時間であるため、選択された走査電極群が一度走査されて再度走査されるまでの時間が短く、１回目の走査により移動開始した粒子が完全に移動を完了する前に２回目の走査が開始される。移動を完了していない粒子は，再度電圧が印加されたときに容易に動くことができるため、叩き出し粒子として作用する。従って，叩き出し粒子の数を増やすことができ、その結果表示濃度不足が改善され、ドット状の表示不良を防止することができる。
【００７６】
次に、制御装置５０は、１行目の走査電極１４を指定するための行番号指定信号及び図５（Ａ）に示すような走査電極用パルス電圧を指定するための走査電極用電圧指定信号を走査電極駆動回路４２に出力すると共に、１行目の赤表示すべき画素に対応するデータ電極２０を指定するための列番号指定信号及び図５（Ｂ）に示すようなデータ電極用パルス電圧を指定するためのデータ電極用電圧指定信号をデータ電極駆動回路４４に出力する。
【００７７】
これにより、赤表示すべき画素に対応したデータ電極２０と走査電極１４との間には、図５（Ｃ）に示すような粒子除去用の交番電圧が印加される。また、これ以外の電極についてはＯＦＦ電圧が印加される。
【００７８】
これにより、赤表示すべき画素に対応したデータ電極２０と走査電極１４との間の粒子は基板間を往復運動しながら他の画素の領域、すなわち白表示又は黒表示の画素の領域へ移動する。このため、着色層２２が露出することにより赤色が表示される。なお、以下ではこれを赤表示駆動という。
【００７９】
そして、２行目についても上記と同様の赤表示駆動を行うが、次は３行目について赤表示駆動を行うのではなく、再度１行目、２行目の順に上記と同様の赤表示駆動を行う。すなわち、黒表示駆動と同様に１行目及び２行目の走査を２回行う。以下、黒表示駆動と同様に、図７に示すようなシーケンスで赤表示駆動を行う。
【００８０】
このように走査することにより、叩き出し粒子が常に十分存在する状態とすることができるため粒子を確実に移動させることができ、ドット状の表示不良を防止するとともに、粒子の除去率を向上させることができる。
【００８１】
なお、電極に印加する電圧のパルス数、走査電極群の走査回数の組合わせは、走査電極群として選択した走査電極の数、粒子の大きさ、解像度、基板間距離などの各条件によって異なり、デバイスの特性に合わせて選択する。例えば、パルス数と走査回数の組合わせとして、１パルス×４０回、２パルス×２０回、１０パルス×４回、２０パルス×２回など、適宜選択することができる。例えば、粒子径が小さい場合や解像度が粗い場合には、移動させるべき粒子が多くなるため、パルス数の多い組合わせを選択する。ただし、前回の走査により移動開始した粒子が完全に移動を完了する前に次回の走査が開始されるような組合わせにする必要がある。
【００８２】
本発明者らが、粒子径が８〜１０μｍ、基板間距離が８０〜１００μｍ、解像度が８０〜２４０ｄｐｉの画像表示媒体を用いて、赤表示駆動の際に印加する交番電圧の周波数を１ｋＨｚ、印加電圧を１４０Ｖとして実験したところ、パルス数は２〜５パルス、走査回数は８〜４回程度の条件が好ましいことが判った。
【００８３】
また、走査電極群の走査電極数の上限値は、粒子の駆動が完了する時間で決定され、これもデバイスの条件によって異なるため、デバイスの特性に合わせて適宜選択される。例えば、粒子の駆動を開始した後、２０〜３０ｍｓｅｃで粒子の移動がほぼ終了する場合には、２０ｍｓｅｃ以内に再度走査が行われるように設定するとよい。
【００８４】
具体的には、例えば走査電極群として４本の走査電極を選択した場合、交番電圧の周波数を１ｋＨｚとすると、パルス数は５以下に設定することが好ましい（４本×５パルス＝２０ｍｓｅｃ）。すなわち、１本の走査電極につき５パルス印加する。これにより、粒子の移動が完了する前に次の走査を行うことができ、叩き出し粒子を増加させることができる。
【００８５】
次に、走査方法の他の例について説明する。
【００８６】
上記では、２本の走査電極１４を走査電極群として選択し、この選択した走査電極群を２回走査して、走査電極群を１ライン分走査方向下流側にシフトすることを繰り返すようにしたが、例えば図８の実線の矢印で示したように、２本の走査電極１４を走査電極群として選択し、この選択した走査電極群を複数回走査して、走査電極群を２ライン分、すなわち走査電極群に含まれる走査電極の数だけ走査方向下流側にシフトすることを繰り返すようにしてもよい。
【００８７】
また、同図の点線の矢印で示すように、セル内の走査電極１４全てを走査電極群として選択して複数回走査し、セル内の走査電極１４の数（３ライン分）だけ走査方向下流側にシフトすることを繰り返すようにしてもよい。これにより、効率よく走査することができる。
【００８８】
また、同図の一点鎖線の矢印で示すように、セル２つ分の走査電極１４全てを走査電極群として選択して複数回走査し、セル２つ分の走査電極１４の数（６ライン分）だけ走査方向下流側にシフトすることを繰り返すようにしてもよい。これにより、さらに効率よく走査することができる。
【００８９】
また、図９の実線の矢印で示すように、セル３４内の走査電極１４全て及びそのセル３４の走査方向下流側のセル３４の走査電極１４の一つを走査電極群として選択して複数回走査し、セル３４内の走査電極１４の数（３ライン分）だけ走査方向下流側にシフトすることを繰り返すようにしてもよい。
【００９０】
また、同図の点線の矢印で示すように、セル３４内の走査電極１４全てと、そのセル３４の走査方向上流側のセル３４及び走査方向下流側のセル３４の走査電極１４の一つずつを走査電極群として選択して複数回走査し、セル３４内の走査電極１４の数（３ライン分）だけ走査方向下流側にシフトすることを繰り返すようにしてもよい。
【００９１】
また、同図の一点鎖線の矢印で示すように、セル２つ分の走査電極１４全てと、そのセル３４の走査方向上流側のセル３４及び走査方向下流側のセル３４の走査電極１４を一つずつを走査電極群として選択して複数回走査し、セル２つ分の走査電極１４の数（６ライン分）だけ走査方向下流側にシフトすることを繰り返すようにしてもよい。を走査電極群として選択して複数回走査し、セル２つ分の走査電極１４の数（６ライン分）だけ走査方向下流側にシフトすることを繰り返すようにしてもよい。
【００９２】
なお、図８の実線、点線、一点鎖線で示した走査方法、図９の実線で示した走査方法では、走査開始の走査電極１４が、走査方向上流側の間隙部材３６に隣接している。このため、粒子の戻りを間隙部材３６によって制限することができ、赤表示をより鮮明に表示することができる。
【００９３】
また、図８の点線及び一点鎖線で示す走査方法、図９の走査方法（特には実線で示す走査方法）の場合、セル内に注目すれば、セル内の画素がほぼ同時に表示駆動されているような状況が形成されるため、赤表示駆動する際に、粒子が走査方向上流側の画素の領域に戻ろうとすると、次の走査が開始されることによって戻ることができず、粒子は除去されるべき部位に確実に移動される。従って、戻り粒子による除去率の低下を抑えることができ、走査方向に赤表示の画素が連続する場合でも鮮明に表示することができる。
【００９４】
また、間隙部材３６は、図２、７〜９で示すように、走査電極間に設けることが好ましい。例えば図１０に示すように、走査電極１００上に間隙部材１０４を配置すると、図１１に示すように赤表示の画素１０６が走査方向Ｓに沿って連続する場合、間隙部材１０４の上流側の画素に戻り粒子１０８が残ったままとなり画質が劣化するが、間隙部材を走査電極間に配置することにより、これを防ぐことができる。
【００９５】
なお、本実施形態では、白黒表示及び赤表示の各々について複数回繰り返し走査する場合について説明したが、何れかの表示についてのみ複数回繰り返し走査するようにしてもよい。
【００９６】
また、上記では全面白表示にした後に、各行毎に黒表示した後に赤表示させるシーケンスとしているが、赤表示後に黒表示させるシーケンスとしてもよい。
【図面の簡単な説明】
【００９７】
【図１】画像表示媒体の断面図である。
【図２】電極の配置及び間隙部材の形状を示す平面図である。
【図３】（Ａ）は白表示から黒表示するときの濃度特性を示す線図、（Ｂ）は黒表示から白表示するときの濃度特性を示す線図である。
【図４】（Ａ）は各電極に印加するＯＮ電圧及びＯＦＦ電圧について説明するための図、（Ｂ）は、各電極にＯＮ電圧又はＯＦＦ電圧を印加したときの各位置に印加される電圧について説明するための図である。
【図５】除去駆動（赤表示駆動）の際に印加される電圧の波形図である。
【図６】画像表示装置の概略構成図である。
【図７】走査シーケンスについて説明するための図である。
【図８】走査シーケンスの他の例について説明するための図である。
【図９】走査シーケンスの他の例について説明するための図である。
【図１０】間隙部材が走査電極上に存在する場合の電極の配置及び間隙部材の形状を示す平面図である。
【図１１】間隙部材が走査電極上に存在する場合に発生する戻り粒子について説明するための図である。
【図１２】従来における電極の配置及び間隙部材の形状を示す平面図である。
【図１３】従来の画像表示媒体において走査方向に赤表示が連続する画像を表示した場合の表示例を示す図である。
【図１４】従来の画像表示媒体において走査方向に赤表示が連続する画像を表示した場合の表示例を示す図である。
【図１５】従来の画像表示媒体において走査方向に赤表示が連続する画像を表示した場合に戻り粒子が発生した場合の表示例を示す図である。
【図１６】従来の画像表示媒体において走査方向に赤表示が連続する画像を表示した場合に戻り粒子が発生した場合の表示例を示す図である。
【図１７】従来の画像表示媒体において市松模様を表示させた場合の表示例を示す図である。
【符号の説明】
【００９８】
１０      画像表示媒体
１２      基板
１４      走査電極
１６      絶縁層
１８      表示基板
２０      データ電極
２２      着色層
２４      絶縁層
２６      基板
２８      背面基板
３０      黒色粒子
３２      白色粒子
３４      セル
３６      間隙部材
４０      駆動装置
４２      走査電極駆動回路
４４      データ電極駆動回路
４６      電源回路
４８      電源回路
５０      制御装置
【図１】
2007279318.tif 000003
【図２】
2007279318.tif 000004
【図３】
2007279318.tif 000005
【図４】
2007279318.tif 000006
【図５】
2007279318.tif 000007
【図６】
2007279318.tif 000008
【図７】
2007279318.tif 000009
【図８】
2007279318.tif 000010
【図９】
2007279318.tif 000011
【図１０】
2007279318.tif 000012
【図１１】
2007279318.tif 000013
【図１２】
2007279318.tif 000014
【図１３】
2007279318.tif 000015
【図１４】
2007279318.tif 000016
【図１５】
2007279318.tif 000017
【図１６】
2007279318.tif 000018
【図１７】
2007279318.tif 000019